(57)【要約】【課題】端子部へのスピーカケーブルの接続作業が容易でありながらも、器体の前面からの端子部の突出量が従来構成に比べて小さいスピーカターミナルを提供する。【解決手段】スピーカターミナルＡは、器体１と、器体１の前面側に設けられ２個を１組とする端子部３と、器体１の背面側に設けられ各端子部３にそれぞれ電気的に接続された接続部とを備える。端子部３および接続部にはそれぞれ別のスピーカケーブルを接続することができる。器体１の前面には収納凹所２２が凹設されており、器体１は、収納凹所２２の内周面に収納凹所２２の深さ寸法が下方ほど小さくなるように前面に対して傾斜した傾斜面２３を有する。端子部３は、左右方向に２個並ぶように、１つの傾斜面２３に１組配置されている。【選択図】図１
2006351509.tif 000002
【特許請求の範囲】
【請求項１】
施工面に取り付けられる器体と、器体の前面側に設けられ２個を１組としてそれぞれスピーカケーブルを接続可能な端子部と、器体の背面側に設けられ各端子部にそれぞれ電気的に接続されるとともに端子部とは別にそれぞれスピーカケーブルを接続可能な接続部とを備え、器体は、収納凹所が前面に凹設されており、収納凹所の内周面に、器体の前面に沿う一方向に沿って収納凹所の深さ寸法を変化させるように器体の前面に対して傾斜した傾斜面を有し、組となる２個の端子部は、器体の前面に沿う面内で前記一方向に直交する方向に並ぶように傾斜面に配置されていることを特徴とするスピーカターミナル。
【請求項２】
前記器体は、組となる２個の前記端子部の間に立設された絶縁壁と、前記傾斜面において前記一方向における前記収納凹所の深さ寸法が大きい側の一端縁から前方に延設された当接面と、傾斜面において前記一方向に沿う両側縁から前方に延設された案内面とを収納凹所の内周面に有することを特徴とする請求項１記載のスピーカターミナル。
【請求項３】
前記収納凹所を覆う閉塞位置と収納凹所を覆わない開放位置との間で開閉可能な蓋体を備えることを特徴とする請求項１または請求項２記載のスピーカターミナル。
【請求項４】
前記端子部は、前記一方向における前記収納凹所の深さ寸法が小さい方の一端部から前記傾斜面に沿って引き出される前記スピーカケーブルを接続可能であって、前記蓋体は、前記閉塞位置において、前記一方向における収納凹所の深さ寸法が小さい方の一端部にスピーカケーブルを挿通する引出孔が開口していることを特徴とする請求項３記載のスピーカターミナル。
【請求項５】
前記端子部は、前端部から前記傾斜面に交わる向きに引き出される前記スピーカケーブルを接続可能であって、前記蓋体は、前記閉塞位置において、端子部に対応する各部位にスピーカケーブルを挿通する挿通孔がそれぞれ開口していることを特徴とする請求項３または請求項４に記載のスピーカターミナル。
【請求項６】
前記器体は、前面の一部に前記端子部に接続された前記スピーカケーブルの一部を保持する張力止めを有することを特徴とする請求項１ないし請求項５のいずれか１項に記載のスピーカターミナル。
【請求項７】
前記端子部は、円柱状に形成され軸方向を前記傾斜面に交わらせる向きで前記器体に取り付けられ、傾斜面よりも前方に位置する部分に雄ねじからなる接続用ねじ部が形成された心棒と、接続用ねじ部に螺合する雌ねじからなる接続用ナット部が形成されたキャップとを有し、心棒は、傾斜面よりも前方に位置する部分の後端部に、前記スピーカケーブルの先端部が挿入されるケーブル挿入孔が貫設されており、キャップは、接続用ねじ部に接続用ナット部が螺合した状態で心棒の周方向に回転させられることによりケーブル挿入孔を覆う位置とケーブル挿入孔を覆わない位置との間で移動し、ケーブル挿入孔は、貫通方向においてスピーカケーブルが挿入された状態でスピーカケーブルの先端側となる開口部が前記収納凹所内に位置することを特徴とする請求項１ないし請求項６のいずれか１項に記載のスピーカターミナル。
【請求項８】
前記ケーブル挿入孔は、貫通方向における前記収納凹所の深さ寸法が小さい側の開口部から前記スピーカケーブルの先端部が挿入されるように前記傾斜面に沿って貫設されていることを特徴とする請求項７記載のスピーカターミナル。
【請求項９】
前記キャップと前記心棒との少なくとも一方には、心棒に対してキャップを抜け止めする抜止部が設けられていることを特徴とする請求項７または請求項８に記載のスピーカターミナル。
【請求項１０】
前記心棒は、前記接続用ねじ部の前方に、外径が接続用ねじ部よりも小さくかつ軸方向の寸法が前記接続用ナット部よりも大きい空回り部を備えることを特徴とする請求項７ないし請求項９のいずれか１項に記載のスピーカターミナル。
【請求項１１】
前記器体は、前記収納凹所の内周面に、前記ケーブル挿入孔における貫通方向の少なくとも一方の開口部を前方に投影する鏡面を有することを特徴とする請求項７ないし請求項１０のいずれか１項に記載のスピーカターミナル。
【請求項１２】
前記心棒は、前記傾斜面よりも前方に位置する部分において前記接続用ねじ部の後方に、外径が接続用ねじ部よりも小さく、前記スピーカケーブルが巻き付けられるケーブル巻き部を備えることを特徴とする請求項７ないし請求項１１のいずれか１項に記載のスピーカターミナル。
【発明の詳細な説明】
【技術分野】
【０００１】
本発明は、アンプ等の音響機器とスピーカとを接続するスピーカケーブルの一部を施工面の裏側に隠蔽する場合に、施工面におけるスピーカケーブルの出入口にそれぞれ設けられ、施工面の表側のスピーカケーブルと施工面の裏側のスピーカケーブルとを電気的に接続するために用いられるスピーカターミナルに関するものである。
【背景技術】
【０００２】
従来から、この種のスピーカターミナルＡとして、図１６に示すように、埋込型の配線器具の取付枠（図示せず）に取付可能な器体１を備えたものが提供されている。器体１は取付枠を用いて施工面としての壁面に取り付けられ、この器体１の前面側にスピーカケーブルＣを接続可能な端子部３が複数個（ここでは４個）設けられる。ここで、図１６の端子部３は、スピーカケーブルＣを容易に接続できるように端子ねじを締め付けることによってスピーカケーブルＣを挟持する構成を採用しており、器体１の長手方向である上下方向に一列に並ぶように配置されている。
【０００３】
さらに、器体１の背面側には端子部３とは別にスピーカケーブルを接続可能な接続部（図示せず）が端子部３に対応する個数（ここでは４個）設けられ、各接続部と各端子部３とがそれぞれ電気的に接続される。このスピーカターミナルＡを用いれば、壁外において端子部３にスピーカケーブルＣを接続することにより、当該スピーカケーブルＣを壁内において接続部に接続された別のスピーカケーブルに対して電気的に接続することができる（たとえば特許文献１参照）。
【特許文献１】実開平２−４３０９１号公報
【発明の開示】
【発明が解決しようとする課題】
【０００４】
ところで、端子部３に対するスピーカケーブルＣの接続は、一般にスピーカターミナルＡの設置後に使用者自身によって為されるので、上述したようなスピーカターミナルＡでは、端子部３へのスピーカケーブルＣの接続作業を容易に行えるように、端子部３が器体１の前面から突出する形で設けられており、その結果、端子部３が衣服に引っ掛かり易いなどの問題を生じる。
【０００５】
本発明は上記事由に鑑みて為されたものであって、端子部へのスピーカケーブルの接続作業が容易でありながらも、器体の前面からの端子部の突出量が従来構成に比べて小さいスピーカターミナルを提供することを目的とする。
【課題を解決するための手段】
【０００６】
請求項１の発明では、施工面に取り付けられる器体と、器体の前面側に設けられ２個を１組としてそれぞれスピーカケーブルを接続可能な端子部と、器体の背面側に設けられ各端子部にそれぞれ電気的に接続されるとともに端子部とは別にそれぞれスピーカケーブルを接続可能な接続部とを備え、器体は、収納凹所が前面に凹設されており、収納凹所の内周面に、器体の前面に沿う一方向に沿って収納凹所の深さ寸法を変化させるように器体の前面に対して傾斜した傾斜面を有し、組となる２個の端子部は、器体の前面に沿う面内で前記一方向に直交する方向に並ぶように傾斜面に配置されていることを特徴とする。
【０００７】
この構成によれば、端子部が収納凹所の傾斜面に配置されることによって端子部の一部が収納凹所内に収納されるので、従来構成と同じ大きさの端子部を設けたとしても、器体の前面からの端子部の突出量は従来構成に比べて小さくなる。ここで、端子部を配置した傾斜面は器体の前面に対して傾斜しているので、このように端子部の一部を収納凹所内に収納しながらも、スピーカターミナルを壁面の下部に取り付ける場合には傾斜面が斜め上向きとなるように器体を取り付ければ器体の斜め上方から端子部が見え易く、端子部へのスピーカケーブルの接続作業が容易になる。
【０００８】
請求項２の発明は、請求項１の発明において、前記器体が、組となる２個の前記端子部の間に立設された絶縁壁と、前記傾斜面において前記一方向における前記収納凹所の深さ寸法が大きい側の一端縁から前方に延設された当接面と、傾斜面において前記一方向に沿う両側縁から前方に延設された案内面とを収納凹所の内周面に有することを特徴とする。
【０００９】
この構成によれば、組となる２個の端子部にそれぞれ接続されたスピーカケーブル同士の短絡が絶縁壁によって防止される。また、端子部に対してスピーカケーブルを前記一方向における収納凹所の深さ寸法が小さい側から傾斜面に沿って挿入するように接続する際に、スピーカケーブルの先端を当接面に当接させることにより端子部に対してスピーカケーブルを過不足なく挿入することができる。さらに、案内面によって、スピーカケーブルの先端部がばらついて収納凹所の外に出ることを防止でき、結果的に、端子部へのスピーカケーブルの接続作業が容易になる。
【００１０】
請求項３の発明は、請求項１または請求項２の発明において、前記収納凹所を覆う閉塞位置と収納凹所を覆わない開放位置との間で開閉可能な蓋体を備えることを特徴とする。
【００１１】
この構成によれば、蓋体を閉じておくことによって端子部に塵埃が堆積することがなくなる。なお、ここでいう開閉可能な蓋体とは、器体に一体に設けられ開閉可能なもののほかに、器体に着脱可能なものも含む。
【００１２】
請求項４の発明は、請求項３の発明において、前記端子部が、前記一方向における前記収納凹所の深さ寸法が小さい方の一端部から前記傾斜面に沿って引き出される前記スピーカケーブルを接続可能であって、前記蓋体が、前記閉塞位置において、前記一方向における収納凹所の深さ寸法が小さい方の一端部にスピーカケーブルを挿通する引出孔が開口していることを特徴とする。
【００１３】
この構成によれば、端子部に対してスピーカケーブルを前記一方向における収納凹所の深さ寸法が小さい側から傾斜面に沿って挿入するように接続することにより、一部が収納凹所内に収納された端子部へのスピーカケーブルの接続作業を容易に行うことができる。また、蓋体が閉塞位置にある状態でも、引出孔を通してスピーカケーブルを引き出すことによって、端子部にスピーカケーブルを接続することができる。しかも、スピーカケーブルが、端子部において前記一方向における収納凹所の深さ寸法が小さい方の一端部から傾斜面に沿って引き出される場合には、スピーカケーブルを無理に曲げることなく引出孔を通して引き出すことができる。
【００１４】
請求項５の発明は、請求項３または請求項４の発明において、前記端子部が、前端部から前記傾斜面に交わる向きに引き出される前記スピーカケーブルを接続可能であって、前記蓋体が、前記閉塞位置において、端子部に対応する各部位にスピーカケーブルを挿通する挿通孔がそれぞれ開口していることを特徴とする。
【００１５】
この構成によれば、端子部に対して端子部の前端部からスピーカケーブルを傾斜面に交わる向きに挿入するように接続することにより、一部が収納凹所内に収納された端子部へのスピーカケーブルの接続作業を容易に行うことができる。また、蓋体が閉塞位置にある状態でも、挿通孔を通してスピーカケーブルを引き出すことによって、端子部にスピーカケーブルを接続することができる。しかも、スピーカケーブルが、端子部の前端部から傾斜面に交わる向きに引き出される場合には、スピーカケーブルを無理に曲げることなく挿通孔を通して引き出すことができる。
【００１６】
請求項６の発明は、請求項１ないし請求項５の発明において、前記器体が、前面の一部に前記端子部に接続された前記スピーカケーブルの一部を保持する張力止めを有することを特徴とする。
【００１７】
この構成によれば、端子部に接続されたスピーカケーブルに張力が作用しても、張力止めによって端子部までは力が及ばなくなるので、スピーカケーブルが端子部から抜けてしまうことはない。また、端子部の破損が防止されるという利点もある。
【００１８】
請求項７の発明は、請求項１ないし請求項６のいずれか１項に記載の発明において、前記端子部が、円柱状に形成され軸方向を前記傾斜面に交わらせる向きで前記器体に取り付けられ、傾斜面よりも前方に位置する部分に雄ねじからなる接続用ねじ部が形成された心棒と、接続用ねじ部に螺合する雌ねじからなる接続用ナット部が形成されたキャップとを有し、心棒が、傾斜面よりも前方に位置する部分の後端部に、前記スピーカケーブルの先端部が挿入されるケーブル挿入孔が貫設されており、キャップが、接続用ねじ部に接続用ナット部が螺合した状態で心棒の周方向に回転させられることによりケーブル挿入孔を覆う位置とケーブル挿入孔を覆わない位置との間で移動し、ケーブル挿入孔が、貫通方向においてスピーカケーブルが挿入された状態でスピーカケーブルの先端側となる開口部が前記収納凹所内に位置することを特徴とする。
【００１９】
この構成によれば、スピーカケーブルをケーブル挿入孔に挿入し、ケーブル挿入孔を覆う位置にキャップを移動させることにより、端子部にスピーカケーブルを接続することができる。また、ケーブル挿入孔は貫通方向においてスピーカケーブルが挿入された状態でスピーカケーブルの先端側となる開口部が収納凹所内に位置するので、スピーカケーブルをケーブル挿入孔に挿入すると、スピーカケーブルの先端を収納凹所の内周面に当接させることによりスピーカケーブルの先端部が収納凹所の外に出ることを防止でき、結果的に、端子部へのスピーカケーブルの接続作業が容易になる。
【００２０】
請求項８の発明は、請求項７の発明において、前記ケーブル挿入孔が、貫通方向における前記収納凹所の深さ寸法が小さい側の開口部から前記スピーカケーブルの先端部が挿入されるように前記傾斜面に沿って貫設されていることを特徴とする。
【００２１】
この構成によれば、組となる２個の端子部にそれぞれ接続されるスピーカケーブルは、いずれも前記一方向に沿ってケーブル挿入孔に挿入されることになる。一方、組となる２個の端子部は器体の前面に沿う面内で前記一方向に直交する方向に並んでいる。すなわち、組となる２個の端子部に接続される一対のスピーカケーブルにおいてケーブル挿入孔への挿入量が大き過ぎて両スピーカケーブルの先端部が端子部から突出しても、両スピーカケーブルは互いに離れた位置で平行に突出することになるので短絡し難い。
【００２２】
請求項９の発明は、請求項７または請求項８の発明において、前記キャップと前記心棒との少なくとも一方には、心棒に対してキャップを抜け止めする抜止部が設けられていることを特徴とする。
【００２３】
この構成によれば、キャップが心棒から抜け落ちてしまうことがないので、たとえば心棒から外れたキャップを子供が誤飲するなどの事故を防止することができるという効果がある。
【００２４】
請求項１０の発明は、請求項７ないし請求項９のいずれかの発明において、前記心棒が、前記傾斜面よりも前方に位置する部分において前記接続用ねじ部の前方に、外径が前記接続用ねじ部よりも小さくかつ軸方向の寸法が接続用ナット部よりも大きい空回り部を備えることを特徴とする。
【００２５】
この構成によれば、キャップを回転させてケーブル挿入孔を覆わない位置に移動させる際に、接続用ナット部が空回り部にまで移動するとキャップは心棒に対して空回りすることになるから、キャップを回転させる力が接続用ナット部や器体に作用して接続用ナット部や器体が変形してしまうことを防止できる。
【００２６】
請求項１１の発明は、請求項７ないし請求項１０のいずれかの発明において、前記器体が、前記収納凹所の内周面に、前記ケーブル挿入孔における貫通方向の少なくとも一方の開口部を前方に投影する鏡面を有することを特徴とする。
【００２７】
この構成によれば、ケーブル挿入孔の少なくとも一方の開口部が鏡面を介して器体の前方から視認可能となるから、ケーブル挿入孔の開口部を直接視認するのが困難な位置にスピーカターミナルが設置されていても、使用者はケーブル挿入孔の少なくとも一方の開口部を見ながらスピーカケーブルをケーブル挿入孔に挿入することができ、スピーカケーブルの接続作業を容易に行うことができる。なお、鏡面には、器体に鏡を貼り付けることにより形成されるもののほか、蒸着等により器体の一部に直接形成されるものを含む。
【００２８】
請求項１２の発明は、請求項７ないし請求項１１のいずれかの発明において、前記心棒が、前記傾斜面よりも前方に位置する部分において前記接続用ねじ部の後方に、外径が接続用ねじ部よりも小さく、前記スピーカケーブルが巻き付けられるケーブル巻き部を備えることを特徴とする。
【００２９】
この構成によれば、端子部にスピーカケーブルを接続する際に、スピーカケーブルの被覆を剥いた部分をケーブル巻き部に巻き付けることができ、これにより、端子部とスピーカケーブルとの接触面積を大きくして端子部とスピーカケーブルとの間の接触抵抗を低減することができる。
【発明の効果】
【００３０】
本発明は、端子部が収納凹所の傾斜面に配置されることによって端子部の一部が収納凹所内に収納されるので、器体の前面からの端子部の突出量が従来構成に比べて小さくなる。ここで、端子部を配置した傾斜面は器体の前面に対して傾斜しているので、このように端子部の一部を収納凹所内に収納しながらも、スピーカターミナルを壁面の下部に取り付ける場合には傾斜面が斜め上向きとなるように器体を取り付ければ器体の斜め上方から端子部が見え易く、端子部へのスピーカケーブルの接続作業が容易になるという利点がある。
【発明を実施するための最良の形態】
【００３１】
（実施形態１）
本実施形態のスピーカターミナルＡは、図２に示すように、合成樹脂製であって後方が開放された箱状に形成された器体１を備える。以下では、器体１の前端部を壁面Ｂ（施工面）から突出させる形でスピーカターミナルＡを壁面Ｂに取り付けた状態を示す図１（ａ）の上下左右を上下左右として説明する。
【００３２】
器体１の前面側には２個を１組とする端子部３が複数組設けられ、器体１の背面側には端子部３と同様に２個を１組とする接続部４が複数組設けられる。ここで、スピーカ（図示せず）には「＋」と「−」との極性があって、１個のスピーカとアンプ等の音響機器（図示せず）とは異極性（「＋」と「−」）の一対のスピーカケーブルＣ（図１６（ａ）参照）によって接続されるので、本実施形態では、左右１組のスピーカに対応するように端子部３および接続部４を４個（２組）ずつ設けてある。各組の端子部３（あるいは接続部４）に対してはそれぞれ一対のスピーカケーブルＣを接続する。さらに、器体１の前面側には後述する蓋体５が着脱可能に取着される。
【００３３】
各端子部３はそれぞれ、円柱状の心棒６と有底円筒状のキャップ７とで構成される。心棒６の軸方向の中央部には直径方向に貫通するケーブル挿入孔８が形成され、心棒６の軸方向の一端側（後端側）には心棒６を器体１に固定するための固定用ねじ部９が形成される。固定用ねじ部９とケーブル挿入孔８との間には、キャップ７と同程度の外径を有する鍔部１０が形成される。固定用ねじ部９が、器体１に貫設された長孔状の端子固定用孔１１に挿通され、後述する接続板１２に貫設された端子接続用孔１３を通してナット１４に螺合することにより、心棒６は、接続板１２と鍔部１０との間に器体１における端子固定用孔１１の周部を挟持する形で器体１に固定される。ここで、鍔部１０における固定用ねじ部９側の一面に突設された嵌合突部１９が端子固定用孔１１に嵌合することにより、端子部３の回り止めが為される。端子部３はケーブル挿入孔８が上下方向に貫通する向きに器体１に固定される。
【００３４】
また、キャップ７の内周面にはねじ溝が形成され、心棒６の軸方向の他端側（前端側）にはキャップ７と螺合する接続用ねじ部１５が形成される。接続用ねじ部１５に対してキャップ７を締め付けると、キャップ７によってケーブル挿入孔８が閉塞されることになる。この構成により、端子部３は、ケーブル挿入孔８にスピーカケーブルＣの先端部を挿入した状態でキャップ７を締め付けることによって、スピーカケーブルＣを機械的に保持するとともに電気的に接続することができる。ここにおいて、端子部３とスピーカケーブルＣとの接触抵抗を比較的小さく抑えるためには、キャップ７を十分に締め付ける必要がある。本実施形態では、小さな力でもキャップ７を十分に締め付けることができるように、外径が比較的大きいキャップ７を採用するとともに、キャップ７の底面（端子部３の前端面）に直径方向に延長された締付け溝１６を設けることにより、コインやマイナスドライバなどを用いてキャップ７を締め付けることもできるようにしてある。なお、締付け溝１６は他の形状（たとえば十字状）でもよい。
【００３５】
また、本実施形態の端子部３は、上述したようにケーブル挿入孔８に挿入されるスピーカケーブルＣに限らず、差込式の所謂バナナプラグ（図示せず）を有したスピーカケーブルＣを接続することもできる。このための構成として、心棒６における軸方向に沿った中心部にバナナプラグを保持するプラグ保持穴１７を開口するとともに、キャップ７の底面にプラグ挿入孔１８を貫設してある。これにより、心棒６にキャップ７を螺合した状態で、端子部３の前端面からプラグ挿入孔１８を通してプラグ保持穴１７にバナナプラグを差し込むことによって、スピーカケーブルＣを端子部３に接続することができる。
【００３６】
一方、各接続部４はそれぞれ、上述した接続板１２と端子ねじ２０とで構成される。接続板１２には端子ねじ２０が螺合するねじ孔２１が形成されており、このねじ孔２１に後方から端子ねじ２０を締め付けることによりスピーカケーブルを接続することができる。上述した端子接続用孔１３は接続板１２においてねじ孔２１の下方に貫設されており、端子部３と接続部４とは、心棒６の固定用ねじ部９が端子接続用孔１３を通してナット１４と螺合することによって、電気的に接続されることになる。
【００３７】
ところで、本実施形態のスピーカターミナルＡでは、器体１の前面において、それぞれ左右方向に長い矩形状に開口した収納凹所２２が上下方向（器体１の長手方向）に沿って２個列設されている。各収納凹所２２はそれぞれ、開口面の下端縁から延出され上方ほど後退するように器体１の前面に対して傾斜した傾斜面２３と、開口面の上端縁から延出され下方ほど後退するように器体１の前面に対して傾斜した当接面２４と、開口面の左右両端縁からそれぞれ後方に延出され互いに対向する一対の案内面２５とで形成されている。上述した端子固定用孔１１は、この傾斜面２３に貫設される。つまり、端子部３は傾斜面２３に配置されることになる。
【００３８】
ここで、各傾斜面２３に端子部３が１組ずつ配置されるように、端子固定用孔１１は各傾斜面２３に２個ずつ形成される。各組の２個の端子部３には、端子部３に接続するスピーカケーブルＣと接続部４に接続されたスピーカケーブルとの極性を合わせ易いように、それぞれ接続対象とする極性に合わせて印を付けておくことが望ましい。たとえば、各端子部３を接続対象とする極性ごとに異なる色に着色しておけばよい。２個の端子固定用孔１１は、各傾斜面２３において２個の端子部３が左右方向に並ぶように左右方向に並設される。ここにおいて、ケーブル挿入孔８の貫通方向は上述したように上下方向に揃えてあるから、左右方向に並んだ端子部３に接続される一対のスピーカケーブルＣはいずれも上下方向に沿ってケーブル挿入孔８に挿入されることになる。すなわち、一対のスピーカケーブルＣにおけるケーブル挿入孔８への挿入量が大き過ぎて両スピーカケーブルＣの先端部が端子部３から突出することがあっても、両スピーカケーブルＣは同じ向きに端子部３から突出することになるので短絡し難い。さらに、両端子固定用孔１１の間には異極性のスピーカケーブルＣ同士の短絡を防止する絶縁壁２６が立設される。なお、器体１の背面側においても、器体１の内部空間を左右方向に２分割する仕切壁２７が設けられており、仕切壁２７を隔てて各組の接続部４が配置されることにより異極性のスピーカケーブル同士の短絡が防止される。
【００３９】
上述した構成によれば、端子部３は、図１に示すように傾斜面２３に配置されることによって一部が収納凹所２２内に収まる形になり、かつ器体１の前面に対して斜めに突出することになるので、従来構成と同じ大きさの端子部３を設けたとしても、器体１の前面からの端子部３の突出量は従来構成に比べて小さくなる。ここで、傾斜面２３は斜め上向きに傾斜しているから、このように端子部３の一部を収納凹所２２内に収納しながらも、スピーカターミナルＡを壁面Ｂの下部に取り付けた場合に器体１の斜め上方から端子部３が見え易く、端子部３へのスピーカケーブルＣの接続作業は容易である。さらに、端子部３の下方においては収納凹所２２の深さ寸法が小さいので、本実施形態のように端子部３がスピーカケーブルＣを基端部（ケーブル挿入孔８）に接続する締め付け端子であっても、端子部３の下方から傾斜面２３に沿ってスピーカケーブルＣを挿入するように接続することによって、スピーカケーブルＣの接続作業を容易に行うことができる。
【００４０】
また、端子部３におけるケーブル挿入孔は、少なくとも上側の開口部が収納凹所２２内に収まるような位置に形成されており、これにより、端子部３へのスピーカケーブルＣの接続時に、スピーカケーブルＣを端子部３の下方からケーブル挿入孔８に挿通すれば、スピーカケーブルＣの先端部はケーブル挿入孔８の上側の開口部から収納凹所２２内に突出することになる。したがって、端子部３へのスピーカケーブルＣの接続時に、端子部３の下方からケーブル挿入孔８に挿入されたスピーカケーブルＣの先端を当接面２４に当接させることにより、ケーブル挿入孔８に対して過不足なくスピーカケーブルを挿入することができ、さらに、案内面２５によってスピーカケーブルＣの先端部がばらついて収納凹所２２外に出てしまうことを防止できるので、端子部３へのスピーカケーブルＣの接続作業がより容易になる。
【００４１】
ところで、本実施形態のスピーカターミナルＡは、一般に知られている埋込型の配線器具と同様に、取付枠３８（図４（ｂ）参照）を用いて壁面Ｂに取り付けられる。器体１は、１個モジュール寸法の配線器具を上下方向に３個並べた大きさに形成されており、１個モジュール寸法の配線器具が３個まで取付可能な取付枠３８に取り付けることができる。器体１の左右両側面には、取付枠３８に係合する取付爪２がそれぞれ突設されており、取付爪２を取付枠３８に係合させることにより器体１が取付枠３８に取り付けられることになる。なお、図１では、器体１は壁内に設けたスイッチボックス３９に対してボックスねじ４０（図４（ｂ）参照）を用いて取付枠３８を固定することにより壁面Ｂに取り付けられており、器体１の前面の周囲を包囲するプレート枠４１がプレートねじ４２（図４（ｂ）参照）を用いて取付枠３８に取り付けられ、プレート枠４１の開口部と器体１の前面との隙間を覆う化粧カバー４３がプレート枠４１に取り付けられている。
【００４２】
また、本実施形態の構成によれば、図１６に示した従来構成において生じ得る以下のような問題点も解決される。
【００４３】
図１６に示した従来構成では、複数個の端子部３がすべて上下方向に一列に列設されており、端子部３に接続されたスピーカケーブルＣは左右方向（水平方向）に引き出される。したがって、従来構成では、図１６（ａ）に示すように、端子部３から引き出されたスピーカケーブルＣが重力によって下向きに曲げられることによりスピーカケーブルＣに無理な曲げが生じ、スピーカケーブルＣの伝達特性に影響するおそれがある。図１６（ａ）に示すように、スピーカターミナルＡに隣接してコンセント等の他の配線器具Ｄを設けた場合には、スピーカケーブルＣが配線器具Ｄの前方に引き出されることになり配線器具Ｄの使用時に邪魔になる。また、端子部３に接続されたスピーカケーブルＣを下向きに引き回す際には上側の端子部３に接続するスピーカケーブルＣほど長いものが必要になるが、従来構成ではすべての端子部３が上下方向に並んでいるので、極性ごとにスピーカケーブルＣの長さが異なることになり、スピーカケーブルＣの伝達特性に影響することがある。さらに、各スピーカに接続された一対のスピーカケーブルＣを接続すべき端子部３の組み合わせが分かり難く、かつ、端子部３に接続するスピーカケーブルＣと接続部に接続されたスピーカケーブルとの極性を合わせ難いという問題もある。
【００４４】
これに対して本実施形態では、スピーカケーブルＣを端子部３の下方に引き出す形で端子部３に接続することにより、スピーカケーブルＣを端子部３から略真っ直ぐに引き出すことができる。したがって、スピーカケーブルＣに無理な曲げが生じることはなく、かつ、スピーカターミナルＡに隣接して他の配線器具Ｄを設けたとしてもスピーカケーブルＣが配線器具Ｄの使用時に邪魔になることもない。また、本実施形態では一対のスピーカケーブルＣを接続する２個の端子部３が左右方向に並んでいるので、従来構成のように極性ごとにスピーカケーブルＣの長さが異なることもない。さらに、端子部３を２個１組として各傾斜面２３に１組ずつ設けてあるので、各スピーカに接続された一対のスピーカケーブルＣを接続すべき端子部３の組み合わせが分かり易く、かつ、上下方向に並ぶ端子部３において接続対象となるスピーカケーブルＣの極性を統一すれば、端子部３に接続するスピーカケーブルＣと接続部４に接続されたスピーカケーブルとの極性を合わせ易くなる。
【００４５】
ところで、上述した蓋体５は後面が開口されており、図３（ａ）に示すように、器体１の前面の４隅からそれぞれ突出した保持爪２８を蓋体５に設けた保持穴２９（図２（ｂ）参照）にそれぞれ係合させることにより、器体１に対して着脱可能に取り付けられるものである。ここでは保持爪２８および保持穴２９は、蓋体５を器体１に前方から押し付けることにより係合する構成としているが、蓋体５を器体１の前面に沿ってスライドさせることにより係合する構成としてもよい。図４に示すように、器体１に取着された蓋体５が両収納凹所２２を覆うことにより、端子部３への塵埃の堆積が防止される。本実施形態では、蓋体５を器体１に対して着脱可能としているが、蓋体５は収納凹所２２を覆う位置（閉塞位置）と覆わない位置（開放位置）との間で開閉可能であればよく、図３（ｂ）に示すように、蓋体５の上端縁が一対の保持爪２８に軸支される構成とすることによって、蓋体５を器体１から取り外すことなく開閉可能としてもよい。
【００４６】
さらに、本実施形態では蓋体５を器体１に取り付けた状態であっても、端子部３に接続されたスピーカケーブルＣを下方に引き出すことができるように、蓋体５の下端面に後方に開放された引出孔３０が開口している。ただし、スピーカターミナルＡの不使用時にのみ蓋体５を取り付ける場合には、引出孔３０を省略した構成としてもよい。
【００４７】
また、器体１の前面の下端部には、図５に示すように、端子部３に接続されたスピーカケーブルＣを保持する張力止め３１を設けることが望ましい。この構成では、端子部３に接続されたスピーカケーブルＣが張力止め３１によって保持されるので、スピーカケーブルＣに張力が作用したとしても、張力止め３１によって端子部３までは力が及ばなくなるので、スピーカケーブルＣが端子部３から抜けてしまうことはなく、さらに端子部３の破損も防止される。
【００４８】
なお、本実施形態では、左右１組のスピーカに対応するように端子部３および接続部４を２組ずつ設けてあるが、１個のスピーカに対応するように端子部３および接続部４を１組だけ設けたり（図１２および図１３参照）、さらに多数のスピーカに対応するように端子部３および接続部４の組数を増やしたりしてもよく、これらの構成では、収納凹所２２は端子部３および接続部４の組数に応じた個数だけ形成される。また、１組の端子部３の個数は１個のスピーカに接続するスピーカケーブルＣの本数に合わせており、仮に１個のスピーカに３本のスピーカケーブルＣを接続するのであれば３個１組の端子部３を設けることになる。４個１組の端子部３を設け１組の端子部３が２個のスピーカに対応する構成としてもよい。
【００４９】
（実施形態２）
本実施形態のスピーカターミナルＡは、実施形態１のスピーカターミナルＡとは蓋体５の形状が相違する。本実施形態では、蓋体５を器体１に取り付けた状態であってもバナナプラグを有したスピーカケーブルＣを端子部３に接続可能とするために、図６に示すように、引出孔３０に加えて、蓋体５において端子部３に対応する各部位に挿通孔３２を開口してある。図６では、１組の端子部３に対して１個の挿通孔３２が開口している。
【００５０】
バナナプラグを有したスピーカケーブルＣを端子部３に接続した場合には、スピーカケーブルＣはこの挿通孔３２を通して傾斜面２３に交わる向きに引き出されることになる。ただし、ケーブル挿入孔８を用いてスピーカケーブルＣを接続する場合には引出孔３０からスピーカケーブルＣを引き出すことができ、挿通孔３２は使用しないので、スピーカターミナルＡの製造時に挿通孔３２を開口しておくのではなく、スピーカターミナルＡの使用者が必要に応じて容易に挿通孔３２を開口できるようにノックアウト部を蓋体５に形成しておくことが望ましい。その他の構成および機能は実施形態１と同様である。
【００５１】
（実施形態３）
本実施形態のスピーカターミナルＡは、実施形態１のスピーカターミナルＡとは蓋体５の構成が相違する。本実施形態の蓋体５は、図７に示すように平板状であって収納凹所２２を覆う位置（閉塞位置）と覆わない位置（開放位置）との間で開閉可能な扉体３３を有する。ここで、端子部３が扉体３３よりも前方に突出していると扉体３３を閉めることができないので、本実施形態では、端子部３が壁面Ｂから突出しない程度に実施形態１に比べて器体１を後退させるとともに、器体１の前面の全周から前方に突出する周壁３４を蓋体５の一部として設け、周壁３４と扉体３３とによって器体１の前面を覆う構成としている。また、本実施形態では、扉体３３の開放時に、図７（ｃ）に示すように扉体３３を器体１の上端部に設けたスリット（図示せず）から壁内に収納可能としてある。
【００５２】
本実施形態の構成によれば、蓋体５を含めたスピーカターミナルＡ全体の壁面Ｂからの突出量を比較的小さくすることができる。さらに、扉体３３の開放時に扉体３３を壁内に収納することができるので、扉体３３の開放時にも壁面ＢからのスピーカターミナルＡの突出量が増加しないという利点がある。なお、扉体３３を壁内に収納するためのスリットは、器体１の上端部に限らずたとえば器体１における左右方向の一端部に設けることもできる。その他の構成および機能は実施形態１と同様である。
【００５３】
（実施形態４）
本実施形態のスピーカターミナルＡは、実施形態１のスピーカターミナルＡとは端子部３の構成が相違する。本実施形態では、図８に示すように、傾斜面２３に配置された１個のハウジング３５に対して１組の端子部３が設けられている。
【００５４】
各端子部３はそれぞれ、図８に示すように、ハウジング３５に開口したケーブル接続口３６から挿入されたスピーカケーブルＣを接続するものであって、ケーブル接続口３６は、ハウジング３５の下面に設けたレバー３７を押操作することにより開放される端子板（図示せず）によって閉塞される。端子板はケーブル接続口３６を閉塞する位置に付勢されている。つまり、レバー３７を押操作しながらケーブル接続口３６にスピーカケーブルＣの先端部を挿入するだけの簡単な作業で端子部３にスピーカケーブルＣを接続することができる。
【００５５】
本実施形態の構成においても、傾斜面２３に端子部３のハウジング３５を設けたことにより実施形態１と同様の効果が期待できる。ただし、端子部３に接続されたスピーカケーブルＣは、実施形態２において説明したバナナプラグを有するスピーカケーブルＣと同様に、傾斜面２３に交わる向きに引き出されることになる。したがって、本実施形態の器体１に蓋体５を付加する場合には、実施形態２で示した図６と同様に挿通孔３２が開口した蓋体５を用いることが望ましい。その他の構成および機能は実施形態１と同様である。
【００５６】
（実施形態５）
本実施形態のスピーカターミナルＡは、実施形態１のスピーカターミナルＡとは、器体１の細部および端子部３の構成が相違する。
【００５７】
以下ではまず、器体１に関して実施形態１のスピーカターミナルＡとの相違点を説明する。
【００５８】
本実施形態の器体１が取り付けられる取付枠３８は、図９に示すように、矩形枠状の枠本体４４と、枠本体４４の左右両辺からそれぞれ後方に突設された保持片４５とを有しており、保持片４５に矩形状の取付孔が貫設されて成る。一方、器体１は、左右両側面に取付突起４６が突設されており、取付突起４６を取付孔に嵌合させることにより取付枠３８に取り付けられる。取付枠３８には、実施形態１と同様に器体１の前面の周囲を包囲するプレート枠４１がプレートねじ４２（図４（ｂ）参照）を用いて取り付けられ、プレート枠４１には化粧カバー４３が取り付けられるが、本実施形態ではさらに、化粧カバー４３と器体１の前面との間の隙間を埋めるカバー体４７を設けてある。カバー体４７は、矩形枠状であって上下両辺からそれぞれ後方に突設された引掛爪４８（図１１参照）を器体１の上下両端面に設けられた引掛穴４９（図１１参照）に係合させることにより器体１に取り付けられる。
【００５９】
また、器体１の前面の４隅にはそれぞれ保持穴５０が貫設されており、蓋体５は、図１０に示すように、蓋体５において各保持穴５０に対応する各部位からそれぞれ後方に突出した保持爪５１を保持穴５０に係合させることによって器体１に対して着脱可能に取り付けられる。本実施形態で用いる蓋体５は透明であって、これにより、蓋体５が閉塞位置にあっても、端子部３へのスピーカケーブルＣの接続状態を視認できるという利点がある。
【００６０】
器体１の背面側を覆う背面カバー５２が設けられている点も実施形態１のスピーカターミナルとは相違する。ただし、器体１の背面側においては、接続部３にスピーカケーブルＣが接続されるので、背面カバー５２は、スピーカケーブルＣの接続を妨げることはないように、接続板１２において接続部４を構成する部分（つまりねじ穴２１の近傍）を露出させる形状に形成される。背面カバー５２の左右両側縁には取着突起５３が突設されており、この取着突起５３を器体１の背面側の左右両側壁に貫設された取着孔５４に嵌合させることによって、背面カバー５２が器体１に取り付けられる。また、本実施形態では、異極性の接続部４間に左右方向に対向する２枚の仕切壁２７を設けることにより、異極性の接続部４間の絶縁距離を大きくしている。さらに、接続板１２とナット１４との間にばね座金５５を設けることにより、ナット１４の緩みを防止している。
【００６１】
ところで、収納凹所２２の形状も実施形態１のスピーカターミナルＡとは異なっており、本実施形態の各収納凹所２２はそれぞれ、図１０に示すように、当接面２４が、端子部３の外周形状に沿って湾曲した曲面状に形成される。さらに当接面２４は端子部３のケーブル挿入孔８の上側の開口部に対向する位置までしか傾斜面２３から延出されておらず、当接面２４の前端縁からは器体１の前面に沿う延設面５６が上方に延設され、延設面５６の上端縁からは下方ほど後退するように器体１の前面に対して傾斜した上側傾斜面５７が上方に延設される。すなわち、上側傾斜面５７と端子部３との間には、図１１に示すように、延設面５６の上下寸法に比例する隙間５８が形成されることになる。
【００６２】
上述した構成により、端子部３へのスピーカケーブルＣの接続時に、端子部３の下方からケーブル挿入孔８に挿入したスピーカケーブルＣの先端を、端子部３の周囲に設けた当接面２４に当接させることにより、ケーブル挿入孔８に対して過不足なくスピーカケーブルＣを挿入することができ、しかも、上側傾斜面５７と端子部３との間に隙間５８が形成されるので、図１２に示すように、この隙間５８からケーブル挿入孔８の上側の開口部を視認しやすくなる。このようにスピーカケーブルＣの上側の開口部を視認できれば、端子部３の下方から挿入したスピーカケーブルＣがどの程度挿入されているかを視認できるから、スピーカケーブルＣの接続作業をより容易に行うことができる。
【００６３】
ただし、上記隙間５８を通してケーブル挿入孔８の開口部を直接視認するのが困難な位置、たとえば壁面Ｂの天井付近のように使用者が見上げなければならない位置にスピーカターミナルＡを設置する場合には、図１３に示すように、上側傾斜面５７に鏡面５９を形成し、この鏡面５９でケーブル挿入孔８の上側の開口部を器体１の前方に投影することにより、鏡面５９を介してケーブル挿入孔８の開口部を器体１の前方から視認できる構成とすることが望ましい。この構成では、使用者は、上記隙間５８を通してケーブル挿入孔８の開口部を直接視認するのが困難であっても、ケーブル挿入孔８の上側の開口部を鏡面５９に映して視認することができるので、スピーカケーブルＣの接続作業を容易に行うことができる。鏡面５９には、器体１に鏡を貼り付けることにより形成されるもののほか、蒸着等により器体１の一部に直接形成されるものを含む。
【００６４】
次に、端子部３に関して実施形態１のスピーカターミナルＡとの相違点を説明する。
【００６５】
本実施形態の端子部３は、図１４（ａ）に示すように、キャップ７の一部に外周縁の全周に亘って溝６０が形成されており、この溝６０に、合成ゴム製であって環状に形成された嵌着部材６１（図１２参照）を嵌着してある。嵌着部材６１は、各端子部３の接続対象とする極性ごとに異なる色に着色されており、実施形態１で説明した、端子部３における接続対象とする極性に合わせた印となる。
【００６６】
さらに、実施形態１ではキャップ７の内周面の全域にねじ溝が形成されていたが、本実施形態では、図１４（ａ）に示すようにキャップ７の内周面の後端部にのみねじ溝が形成されている。つまり、接続用ねじ部１５に螺合する雌ねじからなる接続用ナット部６２は、キャップ７の後端部にのみ設けられることになる。一方、心棒６においては、図１４（ｂ）に示すように前端部に、内径が接続用ナット部６２の内径よりも大きい抜止部６３が形成されている。この構成によれば、キャップ７を緩めて前方に移動させた際に、接続用ナット部６２が抜止部６３を乗り越えることはないから、キャップ７は心棒６に対して抜け止めが成されることになる。このようにキャップ７が心棒６から抜けることがなければ、たとえば子供が心棒６から外れたキャップ７を誤飲するなどの事故を防止することができる。
【００６７】
また、キャップ７を緩めて接続用ナット部６２が抜止部６３に当接した状態から更にキャップ７を緩める向きに回転させると、接続用ナット部６２における抜止部６３との接触部位が変形し、これにより接続用ナット部６２が接続用ねじ部１５に螺合し難くなる可能性がある。さらに、心棒６にもキャップ７を緩める向きの力が作用することによって、器体１における心棒６との接触部位（端子固定用孔１１の周部）が変形する可能性もある。そこで本実施形態では、心棒６において接続用ねじ部１５と抜止部６３との間には、ねじは切られずに、外径が接続用ねじ部１５よりも小さく、かつ軸方向の寸法が接続用ナット部６２よりも大きい空回り部６４が形成される。この構成により、キャップ７を緩めて前方に移動させた際に接続用ナット部６２が空回り部６４にまで移動すると、キャップ７は心棒６に対して空回りすることになるから、接続用ナット部６２や器体１が変形するという上記問題を解決することができる。その他の構成および機能は実施形態１と同様である。
【００６８】
また、上述の実施形態１，２，３，５に示したように心棒６とキャップ７とからなる端子部３を採用したスピーカターミナルＡにスピーカケーブルＣを接続する際には、心棒６の基端部にスピーカケーブルＣの被覆を剥いた部分を巻き付けることにより、端子部３とスピーカケーブルＣとの接触面積を大きくしてスピーカケーブルＣと端子部３との間の接触抵抗を小さくすることが考えられる。そこで、上記各実施形態では、図１５（ａ）に示すように心棒６において鍔部１０と接続用ねじ部１５との間に、外径が接続用ねじ部１５よりも小さいケーブル巻き部６５を形成し、スピーカケーブルＣを巻き付ける際には、このケーブル巻き部６５にスピーカケーブルＣを巻き付けるようにしてある。ここで、仮に図１５（ｂ）のように、心棒６において鍔部１０の前端縁まで接続用ねじ部１５が形成されていると、接続用ねじ部１５にスピーカケーブルＣを巻き付けざるを得ないが、接続用ねじ部１６はケーブル巻き部６５に比べてねじ山の分だけ外径が大きいので、キャップ７を締め付けた際に巻き付けられているスピーカケーブルＣがねじ山の分だけキャップ７と鍔部１０との間から突出することがある。また、図１５（ｂ）の構成では、キャップ７を締め付ける際に、巻き付けたスピーカケーブルＣがばらついて接続用ナット部６２と接続用ねじ部１５との間に巻き込まれることにより断線する可能性もある。すなわち、ケーブル巻き部６５を設けた構成では、スピーカケーブルＣを巻き付けた際に生じるこれらの問題を解決できるという利点がある。
【図面の簡単な説明】
【００６９】
【図１】本発明の実施形態１の構成を示し、（ａ）は正面図、（ｂ）は側面図、（ｃ）は斜視図である。
【図２】同上のスピーカターミナルを示し、（ａ）は前面側から見た分解斜視図、（ｂ）は背面側から見た分解斜視図である。
【図３】（ａ）は同上の構成を示す斜視図、（ｂ）は同上の他の構成例を示す斜視図である。
【図４】同上の構成を示し、（ａ）は正面図、（ｂ）は（ａ）のＸ−Ｘ断面図、（ｃ）は斜視図である。
【図５】同上の他の構成例を示し、（ａ）は蓋体を外した状態の斜視図、（ｂ）は蓋体を取り付けた状態の斜視図である。
【図６】本発明の実施形態２の構成を示し、（ａ）は正面図、（ｂ）は（ａ）のＸ−Ｘ断面図、（ｃ）は斜視図である。
【図７】本発明の実施形態３の構成を示し、（ａ）は扉体を閉じた状態の斜視図、（ｂ）は扉体を開いた状態の斜視図、（ｃ）は扉体を収納した状態の斜視図である。
【図８】本発明の実施形態４の構成を示す正面図である。
【図９】本発明の実施形態５の構成を示し、（ａ）は正面図、（ｂ）は側面図、（ｃ）は斜視図である。
【図１０】同上のスピーカターミナルを示し、（ａ）は前面側から見た分解斜視図、（ｂ）は背面側から見た分解斜視図である。
【図１１】同上の構成を示す断面図である。
【図１２】同上の構成を示す斜視図である。
【図１３】同上の他の構成を示す斜視図である。
【図１４】同上に用いる端子部を示し、（ａ）は平面図、（ｂ）は断面図である。
【図１５】（ａ）は同上に用いる端子部を示す平面図、（ｂ）は他の構成の端子部を示す平面図である。
【図１６】従来例を示し、（ａ）は正面図、（ｂ）は側面図である。
【符号の説明】
【００７０】
１  器体
３  端子部
４  接続部
５  蓋体
６  心棒
７  キャップ
８  ケーブル挿入孔
１５  接続用ねじ部
２２  収納凹所
２３  傾斜面
２４  当接面
２５  案内面
２６  絶縁壁
３０  引出孔
３１  張力止め
３２  挿通孔
５９  鏡面
６２  接続用ナット部
６３  抜止部
６４  空回り部
６５  ケーブル巻き部
Ａ  スピーカターミナル
Ｂ  壁面（施工面）
Ｃ  スピーカケーブル
【図１】
2006351509.tif 000003
【図２】
2006351509.tif 000004
【図３】
2006351509.tif 000005
【図４】
2006351509.tif 000006
【図５】
2006351509.tif 000007
【図６】
2006351509.tif 000008
【図７】
2006351509.tif 000009
【図８】
2006351509.tif 000010
【図９】
2006351509.tif 000011
【図１０】
2006351509.tif 000012
【図１１】
2006351509.tif 000013
【図１２】
2006351509.tif 000014
【図１３】
2006351509.tif 000015
【図１４】
2006351509.tif 000016
【図１５】
2006351509.tif 000017
【図１６】
2006351509.tif 000018